(57)【要約】【課題】ジャム等で定着装置に挟持された用紙の後端が待機ローラ対や二次転写部に挟持されていてもジャム紙をユーザが容易に取り除くことが可能な画像形成装置を提供する。【解決手段】定着ユニット２８は装置本体１に対し内側下端部に回動軸３５、外側下端部に係合案内部４９を備え、その外側下端部は上付勢部材３６により常に上方に付勢されている。開閉部材４３が閉じられると係合部４７が係合案内部４９に係合し上付勢部材３６の付勢力に抗し、回動軸３５と協働して定着ユニット２８を図３(a),(b)に示す定着実行時姿勢に保持する。開閉部材４３が開かれると係合部４７と係合案内部４９との係合が解除され、上付勢部材３６の付勢力により定着ユニット２８の右端側が上に回動し、図３(c),(d)に示すように、定着ローラ対３１で挟持した用紙４８の後部４８ａを装置本体１の外側方向に凸状に屈曲させる。【選択図】図３
2014026114.tif 000002
【特許請求の範囲】
【請求項１】
装置本体と、
少なくとも一方が加熱制御される熱ローラを有し用紙を挟持搬送可能な定着ローラ対を備え、該定着ローラ対の長手方向に沿った回動軸を支点に前記装置本体に対して定着実行時姿勢と退避姿勢とに回動自在に支持される定着ユニットと、
該定着ユニットを前記退避姿勢方向に付勢する付勢部材と、
前記装置本体の外側面を形成する開閉自在な開閉カバーと、
該開閉カバーに設けられ、該開閉カバーの閉成時に前記定着ユニットに係合し前記付勢部材の付勢力に抗し前記定着ユニットを前記定着実行時姿勢に保持し、前記開閉カバーの開成時に前記係合を解除する係合部と、
を備えることを特徴とする画像形成装置。
【請求項２】
前記定着ユニットは、前記係合部が前記定着ユニットとの係合を解除したとき、前記付勢部材の付勢力により前記定着実行時姿勢よりも上方に回動し前記定着ローラ対で挟持した用紙の後部を把持しやすいように前記装置本体の外側方向に凸状に屈曲させる、
ことを特徴とする請求項１記載の画像形成装置。
【請求項３】
前記定着ユニットは、前記係合部との係合を案内する係合案内部を備えることを特徴とする請求項１または２記載の画像形成装置。
【請求項４】
前記定着ローラ対の長手方向に沿い且つ用紙搬送路に対し前記装置本体の内側方向に位置する第１の位置と前記用紙搬送路に対し前記装置本体の外側方向に位置する第２の位置とに移動可能な棒状体と、
該棒状体を前記装置本体の外側方向に付勢する横付勢部材と、
を更に備え、
前記係合部は、前記開閉カバーの閉成時に前記横付勢部材に係合し前記横付勢部材の付勢力に抗して前記棒状体を前記第１の位置に押し込み、前記開閉カバーの開成時に前記横付勢部材との係合を解除し、
前記棒状体は、前記係合の解除により前記横付勢部材の付勢力にて前記第１の位置から前記第２の位置へ移動し前記定着ローラ対で挟持されている用紙の後部を前記装置本体の外側方向に押し出すように構成される、
ことを特徴とする請求項３記載の画像形成装置。
【発明の詳細な説明】
【技術分野】
【０００１】
本発明は、画像形成装置に関り、更に詳しくはジャム等で定着装置に挟持された用紙の後端が待機ローラ対や二次転写部に挟持されていてもジャム紙をユーザが容易に取り除くことが可能な画像形成装置に関する。
【背景技術】
【０００２】
従来、電子写真方式の画像形成装置が知られている。この画像形成装置は、一般に感光体ドラムを一様に帯電させて初期化し、この感光体ドラムに光書込みによって静電潜像を形成し、この静電潜像をトナー像化して、そのトナー像を直接または間接に用紙等の転写材に転写して定着ユニットで定着させる。
【０００３】
トナー像の転写には、画像形成ユニットから用紙に直接転写する方式のものと、画像形成ユニットから中間転写体に一次転写し、中間転写体から用紙に二次転写する方式のものとがある。
【０００４】
いずれにしても、そのような画像形成装置において、例えば、定着ユニットで用紙ジャムが発生すると、ユーザは装置内に手を入れてジャム用紙を取り出さなければならない。しかし、定着ユニットは、印字実行中の定着温度が１１０℃〜１８０℃の間で上下している。
【０００５】
したがって、ジャムの用紙を取り除くためにユーザが装置内に不用意に手を入れると火傷を負うなどの大きな不具合が発生する虞がある。ところが、特にジャムした用紙が、定着ユニットのローラに挟持され、その用紙の後端が転写部や待機ローラ対に挟持されているような場合は、ユーザは装置内深くまで手を入れる必要が出てきて危険が一層強まる。
【０００６】
そのような問題を解決するために、例えば、用紙の取出し方向とは反対側に予め棒状の引き出し部材を配置し、ジャムが発生したとき上蓋を開けると、上蓋の開成に連動して引き出し部材が持ち上がり、ジャム用紙を搬送路から外部方向に押し出す機構が提案されている。（例えば、特許文献１参照。）
【先行技術文献】
【特許文献】
【０００７】
【特許文献１】実公平０６−１１９９１号公報
【発明の概要】
【発明が解決しようとする課題】
【０００８】
しかしながら、特許文献１の技術は画像形成ユニットから用紙に直接転写する方式で且つモノクロの画像形成装置に関して提案されているものであり、近年広く用いられている画像形成ユニットを多段式に備えてフルカラー画像を印刷する且つ二次転写方式のものについては、提案も示唆もされていない。
【０００９】
本発明は、上記従来の課題を解決するものであって、ジャム等で定着装置に挟持された用紙の後端が待機ローラ対や二次転写部に挟持されていてもジャム紙をユーザが容易に取り除くことが可能な画像形成装置を提供することを目的とする。
【課題を解決するための手段】
【００１０】
上記課題を解決するために、本発明の画像形成装置は、装置本体と、少なくとも一方が加熱制御される熱ローラを有し用紙を挟持搬送可能な定着ローラ対を備え、該定着ローラ対の長手方向に沿った回動軸を支点に上記装置本体に対して定着実行時姿勢と退避姿勢とに回動自在に支持される定着ユニットと、該定着ユニットを上記退避姿勢方向に付勢する付勢部材と、上記装置本体の外側面を形成する開閉自在な開閉カバーと、該開閉カバーに設けられ、該開閉カバーの閉成時に上記定着ユニットに係合し上記付勢部材の付勢力に抗し上記定着ユニットを上記定着実行時姿勢に保持し、上記開閉カバーの開成時に上記係合を解除する係合部と、を備えるように構成される。
【発明の効果】
【００１１】
本発明は、ジャム等で定着装置に挟持された用紙の後端が待機ローラ対や二次転写部に挟持されていてもジャム紙をユーザが容易に取り除くことが可能な画像形成装置を提供することができる。
【図面の簡単な説明】
【００１２】
【図１】本発明の実施例１及び２に係るフルカラーの画像形成装置（プリンタ、装置本体）の内部構成を説明する断面図である。
【図２】(a)はプリンタの外観斜視図、(b)は両面印刷用搬送ユニットと一体な開閉部材を開く図である。
【図３】(a)は定着ユニットと開閉部材の係合部との関係を示す概略図、(b)は開閉部材が開放されていないときの装置本体の内部をより簡略に示す断面図、(c)はそのときの定着ユニットの状態を示す図、(d)は開閉部材が開放されたときの装置本体の内部をより簡略に示す断面図、(e)はそのときの定着ユニットの状態を示す図である。
【図４】(a)は実施例２に係る定着ユニットと開閉部材の係合部との関係を示す概略図、(b)は装置本体の開閉部材が開放されていないときの内部をより簡略に示す断面図、(c)はそのときの定着ユニットの状態を示す図、(d)は開閉部材が開放されたときの装置本体の内部をより簡略に示す断面図、(e)はそのときの定着ユニットの状態を示す図である。
【発明を実施するための形態】
【００１３】
以下、本発明の実施の形態について、図面を参照しながら詳細に説明する。なお、本発明の説明おいて、印字と印刷は同義に用いられる。
【実施例１】
【００１４】
図１は、実施例１及び２に係るフルカラーの画像形成装置（以下、単にプリンタ、又は装置本体という）の内部構成を説明する断面図である。
【００１５】
図１に示すプリンタ１は、電子写真式で二次転写方式のタンデム型のカラー画像形成装置であり、大別して画像形成部２、中間転写ベルトユニット３、給紙部４、及び両面印刷用搬送ユニット５で構成されている。
【００１６】
上記画像形成部２は、同図の右から左へ４個の画像形成ユニット６（６Ｍ、６Ｙ、６Ｃ、６Ｋ）を多段式に並設した構成からなる。
【００１７】
上記４個の画像形成ユニット６のうち上流側（図の右側）の３個の画像形成ユニット６Ｍ、６Ｃ及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として文字や画像の暗黒部分等に用いられるブラック（Ｋ）トナーによるモノクロ画像を形成する。
【００１８】
上記の各画像形成ユニット６は、トナー容器（トナーカートリッジ）に収納されたトナーの色を除き全て同じ構成である。したがって、以下ブラック（Ｋ）用の画像形成ユニット６Ｋを例にしてその構成を説明する。
【００１９】
画像形成ユニット６は、最下部に感光体ドラム７を備えている。この感光体ドラム７は、その周面が例えば有機光導電性材料で構成されている。この感光体ドラム７の周面近傍を取り巻いて、クリーナ８、帯電ローラ９、光書込ヘッド１１、及び現像器１２の現像ローラ１３が配置されている。
【００２０】
現像器１２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００２１】
また、現像器１２の下部には側面開口部に上述した現像ローラ１３を備え、内部には、現像ローラ１３にトナーを供給するトナー供給ローラ１４のほか、特には図示していないが、トナー撹拌部材、現像ローラ１３上のトナー層を一定の層厚に規制するドクターブレード等を備えている。
【００２２】
中間転写ベルトユニット３は、装置本体のほぼ中央で図の左右のほぼ端から端まで扁平なループ状になって延在する無端状の転写ベルト１５と、この転写ベルト１５を掛け渡されて転写ベルト１５を図の反時計回り方向に循環移動させる駆動ローラ１６と従動ローラ１７を備えている。
【００２３】
上記の転写ベルト１５は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００２４】
この中間転写ベルトユニット３は、上記扁平なループ状の転写ベルト１５のループ内にベルト位置制御機構１８を備えている。ベルト位置制御機構１８は、転写ベルト１５を介して感光体ドラム７の下部周面に押圧する導電性発泡スポンジから成る一次転写ローラ１９を備えている。
【００２５】
ベルト位置制御機構１８は、マゼンタ（Ｍ）、シアン（Ｃ）及びイエロー（Ｙ）の３個の画像形成ユニット６Ｍ、６Ｃ及び６Ｙに対応する３個の一次転写ローラ１９を支持軸を中心に同一周期で回転移動させる。
【００２６】
そして、ベルト位置制御機構１８は、ブラック（Ｋ）の画像形成ユニット６Ｋに対応する１個の一次転写ローラ１９を上記３個の一次転写ローラ１９とは個別に回転移動させて転写ベルト１５を感光体ドラム７から離接させる。
【００２７】
すなわち、ベルト位置制御機構１８は、中間転写ベルトユニット３の転写ベルト１５の位置を、フルカラーモード（４個全部の一次転写ローラ１９が転写ベルト１５に当接）、モノクロモード（画像形成ユニット６Ｋに対応する一次転写ローラ１９のみが転写ベルト１５に当接）、及び全非転写モード（４個全部の一次転写ローラ１９が転写ベルト１５から離れる）に切換える。
【００２８】
上記の中間転写ベルトユニット３には、上面部のベルト移動方向最上流側の画像形成ユニット６Ｍの更に上流側に、ベルトクリーニング部２０が配置されている。また、転写ベルト１５の下面部の中央部ほぼ全面に沿い付けるように平らで薄型の廃トナー回収容器２１が着脱自在に配置されている。  
【００２９】
クリーニング部２０は、転写ベルト１５の上面に当接して廃トナーを擦り取って除去して、図示を省略したベルトクリーナユニットの一時貯留部に溜め込み、その溜め込まれた廃トナーを搬送スクリューにより落下筒の上部まで搬送し、落下筒を介して廃トナー回収容器２１に送り込んでいる。
【００３０】
給紙部４は、上下２段に配置された２個の給紙カセット２２（２２ａ、２２ｂ）を備え、２個の給紙カセット２２の給紙口（図の右方）近傍には、それぞれ用紙取出ローラ２３、給送ローラ２４、捌きローラ２５、待機搬送ローラ対２６が配置されている。
【００３１】
待機搬送ローラ対２６の用紙搬送方向（図の鉛直上方向）には、転写ベルト１５を介して従動ローラ１７に圧接する二次転写ローラ２７が配設されて、用紙への二次転写部を形成している。
【００３２】
この二次転写部の下流（図では上方）側にはベルト式熱定着ユニット（以下、単に定着ユニットという）２８が配置されている。定着ユニット２８は、少なくとも一方が加熱制御される熱ローラ２９からなる定着ローラ対３１を備えている。熱ローラ２９は、熱源３２を内部に有する発熱ローラ３３との間に熱伝導ベルト３４を掛け渡されている。
【００３３】
また、定着ユニット２８は、定着ローラ対３１の長手方向（図の紙面奥行き方向）に沿い装置本体１に対し内側端部に配置された回動軸３５と、装置本体１に対し外側端部に配置された詳しくは後述するが図１では図示を省略している係合案内部を備えている。
【００３４】
そして、定着ユニット２８の、装置本体１に対し外側となる上記端部の下部には、係合案内部の機能を阻害しない位置に、定着ユニット２８の外側端部を常に上方に付勢する上付勢部材３６が配置されている。
【００３５】
この定着ユニット２８の更に下流側（図の上方）には、定着後の用紙を定着ユニット２８から搬出し、更に装置上面に形成されている排紙トレー３７に排紙する排紙ローラ対３８が配設されている。
【００３６】
両面印刷用搬送ユニット５は、外面（図の右方外側面）がプリンタ１の内部を側面から外部に開放又は遮蔽する右側面カバーとしての開閉部材を兼ねている。この両面印刷用搬送ユニット５は、定着ユニット２８と排紙ローラ対３８との中間部の搬送路から図の右横方向に分岐した返送路を備えている。
【００３７】
この返送路は、返送開始路３９ａ、それから下方に曲がる返送中間路３９ｂ、更に上記とは反対の左横方向に曲がって最終的に返送用紙を反転させる返送終端路３９ｃ、及びこれら返送路の途中に配置された４組の返送ローラ対４１ａ、４１ｂ、４１ｃ、４１ｄを備えている。
【００３８】
上記返送終端路４１ｃの出口は、給紙部４の下方の給紙カセット２２ｂに対応する待機搬送ローラ対２６への搬送路に連絡している。
【００３９】
図２(a)は、上記のプリンタ１の外観斜視図であり、同図(b)は両面印刷用搬送ユニット５と一体な開閉部材を開く図である。尚、図２(a),(b)には図１と同一の構成部分には図１と同一の番号を付与して示している。 
【００４０】
図２(a)に示すように、プリンタ１には、前方に前扉４２が備えられ、右側面には開閉カバーとしての開閉部材４３が備えられている。開閉部材４３には上部に取っ手４４が付いている。図２(b)に示すように、開閉部材４３の取っ手４４に人の手４５を掛けて開閉部材４３を矢印ａで示すように下方に開放して装置本体１の側面開口４６から定着ユニット２８を露出させることができる。
【００４１】
このプリンタ１は、図１に示したように、画像形成ユニット６から用紙に直接トナー像を転写する方式ではなく、待機搬送ローラ対２６により二次転写部まで鉛直方向に搬送される用紙に中間転写ベルト１５を介してトナー像を二次転写する方式となっている。
【００４２】
したがって、用紙ジャム等の不具合は、図１の左側に集中するキット類の配設部では発生しないので、キット類などの消耗品の着脱の操作は、図２に示す前扉４０ａを開いて、キット類を長手方向（前扉方向）に入れ替え操作するように構成されている。
【００４３】
つまり、用紙の搬送路に発生する用紙ジャム等の不具合は、装置本体の右側のみで発生するので、用紙ジャム等を回復するメンテナンス処理は、図２(b)に示す右側の開閉部材４３を開放するのみで対処できるようになっている。
【００４４】
しかし、開閉部材４３を開放するのみで対処できるとはいっても、ジャムした用紙が定着ユニット２８の定着ローラ対３１に挟持され、その用紙の後端が二次転写部や待機ローラ対２６に挟持されているような場合は、ユーザは装置内深くまで手を入れる必要が出てくる。
【００４５】
前述したように、定着ユニット２８は、用紙ジャム発生直前までの印字実行中の定着温度が１１０℃〜１８０℃の間にある。したがって、ジャム用紙を取り除くためにユーザが装置内に不用意に手を入れると火傷を負うなどの不具合が発生する虞が多分にある。
【００４６】
そこで本発明者は、定着ユニット２８で発生したジャム用紙を取り除くために開閉部材４３を開放したとき、開閉部材４３の開放に連動して、ジャム用紙が取り出し易い位置にせり出してくるように動作する係合部を考え出した。以下これについて説明する。
【００４７】
図３(a)は定着ユニット２８と開閉部材４３の後述する係合部４７との関係を示す概略図、図３(b)は図２(a)のように開閉部材４３が開放されていないときの装置本体１の内部をより簡略に示す断面図であり、図３(c)はそのときの定着ユニット２８の状態を示す図、図３(d)は図２(b)のように開閉部材４３が開放されたときの装置本体１の内部をより簡略に示す断面図、図３(e)はそのときの定着ユニット２８の状態を示す図である。
【００４８】
なお、図３(a)〜(e)には、図１及び図２(a),(b)と同一の構成部分には図１及び図２(a),(b)と同一の番号を、説明に必要と思われる部分にのみ付与して示している。また、図３(b),(d)には簡略を期すため、定着ユニット２８周囲の付属部材の図示を省略している。ただし、図１では図示を省略した係合部４７とジャム用紙４８を図示している。
【００４９】
図３(a)〜(c)に示すように、定着ユニット２８は、図１に示した回動軸３５のほかに、装置本体１に対し外側端部に配置された係合案内部４９を備えている。係合案内部４９は外側に末広がりの円弧形状をなしている。これにより、開閉部材４３が閉じられたとき開閉部材４３に一体な係合部４７が容易に係合案内部４９に進入して係合案内部４９に係合する。
【００５０】
この係合により、係合部４７は、図１に示した上付勢部材３６の付勢力に抗し、回動軸３５と協働して定着ユニット２８を図３(a),(c)に示す定着実行時姿勢に保持することができる。
【００５１】
そして、用紙が定着ユニット２８を通過しないうちに、その後端部を二次定着部に挟持されたままジャム状態になったとき、図３(d)に示すように、開閉部材４３が開成されると、係合案内部４９と係合部４７との係合が解除される。
【００５２】
このように係合案内部４９と係合部４７との係合が解除されると、図３(d),(e)に示すように、定着ユニット２８は、図１に示す上付勢部材３６の付勢力により回動軸３５を支点にして図３(c)の定着実行時姿勢よりも上方に回動し、図３(d),(e)に示すように、定着ローラ対３１で挟持した用紙４８の後部４８ａを装置本体１の外側方向に凸状に屈曲させる。
【００５３】
このように、開閉部材４３が開成されると、定着ユニット２８の外端部が上に回動して二次転写部との間隔が広がることと、ジャム用紙４８の後端４８ａが外側方向に凸状に屈曲していることにより、ユーザは高温の定着ユニット２８に誤って手を触れることなく容易にジャム用紙を外部に取り出すことができる。
【実施例２】
【００５４】
図４(a)は実施例２に係る定着ユニットと開閉部材の係合部との関係を示す概略図、(b)は装置本体１において、図２(a)のように開閉部材４３が開放されていないときの装置本体１の内部をより簡略に示す断面図であり、図４(c)はそのときの定着ユニット２８の状態を示す図である。
【００５５】
また、図４(d)はこの実施例２に係る装置本体１において、図２(b)のように開閉部材４３が開放されたときの装置本体１の内部をより簡略に示す断面図であり、図４(e)はそのときの定着ユニット２８の状態を示す図である。
【００５６】
なお、図４(a)〜(e)に示す構成は、図３(a)〜(e)と定着ユニット２８周囲の構成を除いては同一の構成であるので、図３(a)〜(e)と同一の番号を、説明に必要と思われる部分にのみ付与して示している。
【００５７】
また、本例においても、図４(b),(d)には簡略を期すため、定着ユニット２８周囲の付属部材の図示を一部省略している。ただし、より長い係合部５１とジャム用紙４８と本例で新たに加えられた棒状体５２を図示している。
【００５８】
図４(c)に示すように、本例の場合も、定着ユニット２８は、回動軸３５のほかに、装置本体１に対し外側端部に配置された外側に末広がりの円弧形状をなす係合案内部４９を備えている。
【００５９】
本例において、係合案内部４９は、更に、定着ユニット２８の下方外側端部側から中央部よりも内側まで延在して形成された長孔部５３を備えている。この長孔部５３には、定着ローラ対３１の長手方向に沿って配置され両端を嵌入している上記の棒状体５２が支持されている。
【００６０】
この棒状体５２には、図では省略しているが、棒状体５２を装置本体１の外側方向に常に付勢する横付勢部材が配置されている。開閉部材４３が閉じられたとき開閉部材４３に一体なより長い係合部５１は、その先端が、係合案内部４９に係合して更に定着ユニット２８の中心部よりも装置本体内側方向に侵入する。
【００６１】
この、より長い係合部５１の先端の侵入経路に位置して配置された棒状体５２の両端部は、より長い係合部５１の先端により押し込まれ、横付勢部材の付勢力に抗して長孔部５３の左端側（装置本体１の内側方向）に移動する。
【００６２】
この移動した位置は、図４(b),(c)に示すように、用紙４８の搬送路に対し装置本体１の内側方向に位置する位置である。これを本例では第１の位置とする。
【００６３】
この状態において、より長い係合部５１は、上付勢部材３６の付勢力に抗すると共に横付勢部材の付勢力に抗して棒状体５２を第１の位置に押し込み、回動軸３５と協働して定着ユニット２８を図４(b),(c)に示す定着実行時姿勢に保持する。
【００６４】
そして、用紙が定着ユニット２８を通過しないうちに、その後端部を二次定着部に挟持されたままジャム状態になったとき、図４(d)に示すように、開閉部材４３が開成されると、係合案内部４９と、より長い係合部５１との係合が解除される。
【００６５】
このように係合案内部４９とより長い係合部５１との係合が解除されると、図４(d),(e)に示すように、定着ユニット２８は、図１に示す上付勢部材３６の付勢力により回動軸３５を支点にして図４(c)の定着実行時姿勢よりも上方に回動する。
【００６６】
この上方への回動と同時に、より長い係合部５１からの押し込みを解除された棒状体５２は、横付勢部材の付勢力により図４(e)に示すように、長孔部５３の右端側（装置本体１の外側方向）に移動する。
【００６７】
この移動した位置は、図４(d),(e)に示すように、用紙４８の搬送路に対し装置本体１の外側方向に位置する位置である。これを本例では第２の位置とする。第１の位置から第２の位置に移動した棒状体５２は、図４(d),(e)に示すように、定着ローラ対３１に挟持された用紙４８の後部４８ａを装置本体１の外側方向に凸状に屈曲させる。
【００６８】
このように、本例の場合も開閉部材４３が開成されると、定着ユニット２８の外端部が上に回動して二次転写部との間隔が広がることと、ジャム用紙４８の後端４８ａが棒状体５２により強制的に外側方向に凸状に押し出されたことにより、ユーザは高温の定着ユニット２８に誤って手を触れることなく容易にジャム用紙を外部に取り出すことができる。
【００６９】
なお、上記実施の形態では、定着ユニットのヒンジを、定着ユニットの装置本体に対する内側方向を向く下端部に設けているが、これに限ることなく、上端部までの間のどの位置に設けるようにしてもよい。
【００７０】
また、定着ユニットを上方に付勢する上付勢部材を、定着ユニットの装置本体に対する外側方向を向く下端部に設けているが、これに限ることなく、上端部の位置に引き付勢部材を設けるようにしてもよい。
【００７１】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００７２】
装置本体と、
少なくとも一方が加熱制御される熱ローラを有し用紙を挟持搬送可能な定着ローラ対を備え、該定着ローラ対の長手方向に沿った回動軸を支点に前記装置本体に対して定着実行時姿勢と退避姿勢とに回動自在に支持される定着ユニットと、
該定着ユニットを前記退避姿勢方向に付勢する付勢部材と、
前記装置本体の外側面を形成する開閉自在な開閉カバーと、
該開閉カバーに設けられ、該開閉カバーの閉成時に前記定着ユニットに係合し前記付勢部材の付勢力に抗し前記定着ユニットを前記定着実行時姿勢に保持し、前記開閉カバーの開成時に前記係合を解除する係合部と、
を備えることを特徴とする画像形成装置。
[付記２]
【００７３】
前記定着ユニットは、前記係合部が前記定着ユニットとの係合を解除したとき、前記付勢部材の付勢力により前記定着実行時姿勢よりも上方に回動し前記定着ローラ対で挟持した用紙の後部を把持しやすいように前記装置本体の外側方向に凸状に屈曲させる、
ことを特徴とする付記１記載の画像形成装置。
[付記３]
【００７４】
前記定着ユニットは、前記係合部との係合を案内する係合案内部を備えることを特徴とする付記１または２記載の画像形成装置。
[付記４]
【００７５】
前記定着ローラ対の長手方向に沿い且つ用紙搬送路に対し前記装置本体の内側方向に位置する第１の位置と前記用紙搬送路に対し前記装置本体の外側方向に位置する第２の位置とに移動可能な棒状体と、
該棒状体を前記装置本体の外側方向に付勢する横付勢部材と、
を更に備え、
前記係合部は、前記開閉カバーの閉成時に前記横付勢部材に係合し前記横付勢部材の付勢力に抗して前記棒状体を前記第１の位置に押し込み、前記開閉カバーの開成時に前記横付勢部材との係合を解除し、
前記棒状体は、前記係合の解除により前記横付勢部材の付勢力にて前記第１の位置から前記第２の位置へ移動し前記定着ローラ対で挟持されている用紙の後部を前記装置本体の外側方向に押し出すように構成される、
ことを特徴とする付記３記載の画像形成装置。
【産業上の利用可能性】
【００７６】
本発明は、ジャム等で定着装置に挟持された用紙の後端が待機ローラ対や二次転写部に挟持されていてもジャム紙をユーザが容易に取り除くことが可能な画像形成装置に利用することができる。
【符号の説明】
【００７７】
１  画像形成装置（プリンタ、装置本体）
２  画像形成部
３  中間転写ベルトユニット
４  給紙部
５  両面印刷用搬送ユニット
６（６Ｍ、６Ｙ、６Ｃ、６Ｋ）  画像形成ユニット
７  感光体ドラム
８  クリーナ
９  帯電ローラ
１１  光書込ヘッド
１２  現像器
１３  現像ローラ
１４  トナー供給ローラ
１６  駆動ローラ
１７  従動ローラ
１８  ベルト位置制御機構
１９  一次転写ローラ
２０  ベルトクリーナユニット
２１  廃トナー回収容器
２２（２２ａ、２２ｂ）  給紙カセット
２３  用紙取出ローラ
２４  給送ローラ
２５  捌きローラ
２６  待機搬送ローラ対
２７  二次転写ローラ
２８  ベルト式熱定着ユニット（定着ユニット）
２９  熱ローラ
３１  定着ローラ対
３２  熱源
３３  発熱ローラ
３４  熱伝導ベルト
３５  回動軸
３６  上付勢部材
３７  排紙トレー
３８  排紙ローラ対
３９ａ  返送開始路
３９ｂ  返送中間路
３９ｃ  返送終端路
４１ａ、４１ｂ、４１ｃ、４１ｄ  返送ローラ対
４２  前扉
４３  開閉部材
４４  取っ手
４５  人の手
４６  側面開口
４７  係合部
４８  ジャム用紙
４９  係合案内部
５１  より長い係合部
５２  棒状体
５３  長孔部
【図１】
2014026114.tif 000003
【図２】
2014026114.tif 000004
【図３】
2014026114.tif 000005
【図４】
2014026114.tif 000006